(57)【要約】【課題】  側枠と連結枠との間隔を任意に変更可能な便器用手すりを提供する。【解決手段】便器用手すり１は、手すり部５が設けられて便器２の左右両側に設置される左右一対の側枠３Ａ，３Ｂと、該左右一対の側枠３Ａ，３Ｂの間に差し渡される連結枠４とを備えるとともに、該左右一対の側枠３Ａ，３Ｂのうちの右側枠３Ａと、連結枠４と、の間に介装されるスペーサー９を有しており、該スペーサー９は、上記右側枠３Ａに対して固定される第１固定部２８と、上記連結枠４に対して固定される第２固定部２９とを有するとともに、該第１固定部２８と該第２固定部２９との間に、上記右側枠３Ａと上記連結枠４との間隔を変更自在に調節するべく間隔調節手段３０が設けられている。【選択図】      図１
2015083099.tif 000002
【特許請求の範囲】
【請求項１】
手すり部が設けられて便器の左右両側に設置される左右一対の側枠と、該左右一対の側枠の間に差し渡される連結枠とを備える便器用手すりであって、
上記左右一対の側枠から選択された少なくとも一方と、上記連結枠と、の間に介装されるスペーサーを有しており、
上記スペーサーは、上記側枠に対して固定される第１固定部と、上記連結枠に対して固定される第２固定部とを有するとともに、該第１固定部と該第２固定部との間に、上記側枠と上記連結枠との間隔を変更自在に調節するべく間隔調節手段が設けられている
ことを特徴とする便器用手すり。
【請求項２】
上記間隔調節手段は、上記第１固定部又は上記第２固定部から差し出された調節座と、上記第２固定部又は上記第１固定部から差し出された調節片と、該調節座に該調節片を固定する固定機構とを備え、上記固定機構が上記調節座に対する上記調節片の固定位置を変更自在に構成されることによって、上記側枠と上記連結枠との間隔を変更自在に調節するものである
請求項１に記載の便器用手すり。
【請求項３】
上記固定機構は、上記調節座に設けられた調節軸体と、上記調節片に設けられた挿通孔とを有し、
上記挿通孔が上記連結枠の差し渡し方向に伸びる長孔状とされ、
上記調節軸体が上記挿通孔の内側に挿通された状態で上記調節座に対して上記調節片をスライド移動させることによって上記調節座に対する上記調節片の固定位置を変更自在に構成される
請求項２に記載の便器用手すり。
【請求項４】
更に上記調節片には調節孔が、上記挿通孔に対して交差する方向に伸び、かつ該調節孔の内側が上記挿通孔の内側に繋がるように設けられており、
上記挿通孔に上記調節軸体が挿通された状態としたうえで、上記調節軸体が上記挿通孔の内側に位置する場合は上記調節座に対する上記調節片のスライド移動を許容し、上記調節軸体が上記挿通孔の内側から上記調節孔の内側へ移動された場合は上記調節座に対する上記調節片のスライド移動を規制するように構成される
請求項３に記載の便器用手すり。
【発明の詳細な説明】
【技術分野】
【０００１】
本発明は、既設の便器に後付けで手すり部を設けるべく使用される便器用手すりに関する。
【背景技術】
【０００２】
従来、高齢者や身障者が洋式トイレを使用する際の立ち座りを補助するために、既設の便器に後付けで取り付けられる便器用手すりが提供されている（例えば特許文献１から特許文献３）。通常、該便器用手すりは、便器の左右両側の対称位置に設置される左右一対の側枠と、該左右一対の側枠の間に差し渡される連結枠とを備えており、該左右一対の側枠の上部に手すり部が設けられた構成となっている。
一方、近時の洋式トイレとして、温水洗浄機能が付加されたものがあり、該温水洗浄機能を操作するための操作パネルは、便座の左右何れかの側方（概ね右側）に突出して設けられている。そして該洋式トイレに上記便器用手すりを設置する際には、左右一対の側枠を便器の左右両側の対称位置に設置しようとすると、便座の側方に突出して設けられた該操作パネルが邪魔になる場合がある。そこで側枠と連結枠との間に間隔拡大用部材（スペーサー）を介在させることで、操作パネルを避けて側枠を設置可能とした便器用手すりが提案されている（例えば特許文献４の図２４）。
【先行技術文献】
【特許文献】
【０００３】
【特許文献１】特開平１１−１１３８０２号公報
【特許文献２】特許第２９８１１８２号公報
【特許文献３】特許第４４９１３７４号公報
【特許文献４】特開２０１３−０７８４４７号公報
【発明の概要】
【発明が解決しようとする課題】
【０００４】
ところが、上記従来の便器用手すりは、間隔拡大用部材（スペーサー）として一種類の幅のものが用意されているのみであり、操作パネルの大きさや便器用手すりの設置場所の状況等に応じた任意の間隔に変更することができない。このため、スペースが狭小なトイレ室内へ便器用手すりを設置することが不便であるという問題があった。
本発明は、このような従来技術に存在する問題点に着目してなされたものである。その目的とするところは、側枠と連結枠との間隔を任意に変更可能な便器用手すりを提供することにある。
【課題を解決するための手段】
【０００５】
上記従来の問題点を解決する手段として、請求項１に記載の便器用手すりの発明は、
手すり部が設けられて便器の左右両側に設置される左右一対の側枠と、該左右一対の側枠の間に差し渡される連結枠とを備える便器用手すりであって、上記左右一対の側枠から選択された少なくとも一方と、上記連結枠と、の間に介装されるスペーサーを有しており、上記スペーサーは、上記側枠に対して固定される第１固定部と、上記連結枠に対して固定される第２固定部とを有するとともに、該第１固定部と該第２固定部との間に、上記側枠と上記連結枠との間隔を変更自在に調節するべく間隔調節手段が設けられていることを要旨とする。
請求項２に記載の発明は、請求項１に記載の便器用手すりの発明において、上記間隔調節手段は、上記第１固定部又は上記第２固定部から差し出された調節座と、上記第２固定部又は上記第１固定部から差し出された調節片と、該調節座に該調節片を固定する固定機構とを備え、上記固定機構が上記調節座に対する上記調節片の固定位置を変更自在に構成されることによって、上記側枠と上記連結枠との間隔を変更自在に調節するものであることを要旨とする。
請求項３に記載の発明は、請求項２に記載の便器用手すりの発明において、上記固定機構は、上記調節座に設けられた調節軸体と、上記調節片に設けられた挿通孔とを有し、上記挿通孔が上記連結枠の差し渡し方向に伸びる長孔状とされ、上記調節軸体が上記挿通孔の内側に挿通された状態で上記調節座に対して上記調節片をスライド移動させることによって上記調節座に対する上記調節片の固定位置を変更自在に構成されることを要旨とする。
請求項４に記載の発明は、請求項３に記載の便器用手すりの発明において、更に上記調節片には調節孔が、上記挿通孔に対して交差する方向に伸び、かつ該調節孔の内側が上記挿通孔の内側に繋がるように設けられており、上記挿通孔に上記調節軸体が挿通された状態としたうえで、上記調節軸体が上記挿通孔の内側に位置する場合は上記調節座に対する上記調節片のスライド移動を許容し、上記調節軸体が上記挿通孔の内側から上記調節孔の内側へ移動された場合は上記調節座に対する上記調節片のスライド移動を規制するように構成されることを要旨とする。
【発明の効果】
【０００６】
〔作用〕
本発明の便器用手すりにおいて、側枠と連結枠との間にはスペーサーが介装される。該スペーサーは、該側枠及び該連結枠に対してそれぞれ固定される第１固定部及び第２固定部を有するとともに、該第１固定部と該第２固定部との間に、上記側枠と上記連結枠との間隔を変更自在に調節する間隔調節手段が設けられている。従って、該スペーサーに設けられた該間隔調節手段を利用することで、温水洗浄機能が付加された便器の操作パネルの大きさや、スペースが狭小なトイレ室内における便器用手すりの設置場所などに応じ、上記側枠と上記連結枠との間隔を任意の長さに調節することができる。
また上記間隔調節手段は、上記第１固定部又は上記第２固定部から差し出された調節座と、上記第２固定部又は上記第１固定部から差し出された調節片と、該調節座に該調節片を固定する固定機構とを備える構成とすることが望ましい。このように構成した場合、上記側枠と上記連結枠との間隔調節を容易に行うことができる。
また上記固定機構は、上記調節座に設けられた調節軸体と、上記調節片に設けられた挿通孔とを有し、該挿通孔が上記連結枠の差し渡し方向に伸びる長孔状とされ、該調節軸体が上記挿通孔の内側に挿通された状態で上記調節座に対して上記調節片をスライド移動させることによって上記調節座に対する上記調節片の固定位置を変更自在に構成することが望ましい。このように構成した場合、上記調節座に対して上記調節片をスライド移動させることで、上記側枠と上記連結枠との間隔調節をより容易に行うことができる。
また、上記調節片に調節孔を、上記挿通孔に対して交差する方向に伸び、かつその内側が上記挿通孔の内側に繋がるように設けることが望ましい。このように構成した場合、上記調節軸体が上記挿通孔の内側に位置する場合は上記調節座に対する上記調節片のスライド移動が許容され、上記調節軸体が上記挿通孔の内側から上記調節孔の内側へ移動された場合は上記調節座に対する上記調節片のスライド移動が規制されるようになるので、上記側枠と上記連結枠との間隔調節をさらに容易に行うことができる。
【０００７】
〔効果〕
本発明の便器用手すりによれば、側枠と連結枠との間隔を任意に変更可能な便器用手すりを提供することができる。
【図面の簡単な説明】
【０００８】
【図１】実施形態の便器用手すりを示す斜視図。
【図２】実施形態の便器用手すりを示す側面図。
【図３】右側枠を示す（ａ）は前側から見た斜視図、（ｂ）は後側から見た斜視図。
【図４】連結枠を示す斜視図。
【図５】実施形態のスペーサーを示す斜視図。
【図６】スペーサーを右側枠に取り付ける状態を示す斜視図。
【図７】スペーサーを連結枠に取り付ける状態を示す斜視図。
【図８】別形態のスペーサーを右側枠に取り付ける状態を示す斜視図。
【図９】別形態のスペーサーを連結枠に取り付ける状態を示す斜視図。
【図１０】（ａ）は別形態のスペーサーを示す斜視図、（ｂ）は別形態のスペーサーで間隔を変更する状態を示す斜視図。
【発明を実施するための形態】
【０００９】
本発明の便器用手すりを具体化した一実施形態を図面に基づき説明する。
なお、以下の文中に示す方向は、特に説明の無い限り、便器に座った使用者から見た状体で、前方を前側、後方を後側、右方を右側、左方を左側とする。
＜便器用手すり＞
図１及び図２に示すように、便器用手すり１は、便器２の両側に設置される右側枠３Ａ及び左側枠３Ｂからなる左右一対の側枠３Ａ，３Ｂと、該左右一対の側枠３Ａ，３Ｂの間で左右方向に差し渡される連結枠４と、を備えている。また該左右一対の側枠３Ａ，３Ｂのそれぞれ上部には、手すり部５が設けられている。
上記連結枠４は、便器２の前部に当接される前枠部６と、該前枠部６を前記側枠３Ａ，３Ｂに連結するための連結部７とを有している。また該連結部７からは、左右一対の固定部材８が後方に向けて差し出されている。
そして上記便器用手すり１において、右側枠３Ａと連結枠４との間には、スペーサー９が介装されている。
【００１０】
＜側枠＞
図２及び図３（ａ），（ｂ）に示すように、左右一対の側枠３Ａ，３Ｂである右側枠３Ａ及び左側枠３Ｂは、前後に滑り止め用の脚ゴム１１ａがそれぞれ取り付けられた水平杆１１と、該水平杆１１の中央部から立設された管状の垂直杆１２とを有している。
側枠３Ａ，３Ｂの上部に設けられた手すり部５は、上記垂直杆１２の上部に上下摺動可能に挿着される挿着杆１３と、該挿着杆１３の上部に取り付けられた枢着基部１４と、該枢着基部１４の上側に取り付けられた肘掛け部１５とを有している。
上記肘掛け部１５は、枢着ピン１６を中心として枢着基部１４を上方に回動させることにより、使用者の手前側に跳ね上げ可能とされている。
上記手すり部５は、挿着杆１３に縦列して設けられた複数の孔１３ａの何れか１つと、垂直杆１２に設けられた孔（図示略）の位置を一致させ、それぞれの孔に調節ボルト１７を垂直杆１２の外側から挿通し、該調節ボルト１７を螺着して垂直杆１２に押し付けることで高さを調節することができる。
【００１１】
＜連結枠＞
図４に示すように、上記連結枠４において、前枠部６は、平面視で略Ｖ字状に形成されている。該形状とした前枠部６は、当接される便器２の前部の形状に応じた形状となり、また使用者が着座姿勢から立ち上がる際の足引きスペースを確保し、立ち上がり動作を容易に行うことができるようにしている。
上記前枠部６の左右両端からは、それぞれ連結部７が後方に向けて延設されている。該左右一対の連結部７は、該前枠部６と連続するように一体的に形成されている。該連結部７の内側には、取着部１８が形成されている。該取着部１８には、回動軸１８ａが形成されており、該回動軸１８ａに上記固定部材８が、該取着部１８に対して回動自在となるように取り付けられている。
上記固定部材８は、後部に滑り止めのためのグリップ８ａが取り付けられた円柱形状の棒部材からなる。上記連結部７の後部には押出ボルト１９が、後方から前方に向けて斜めに配置されるとともに、その先端部を上記固定部材８に接触させるように、螺着されている。そして、該押出ボルト１９を締め付けることにより、上記左右一対の固定部材８が上記便器の左右側部を左右後寄りから抱え込み、前枠部６の先端内側を便器２の前部に当接させることができる（図２参照）。
【００１２】
＜連結構造＞
上記左右一対の側枠３Ａ，３Ｂと、上記連結枠４と、を連結するべく、該左右一対の側枠３Ａ，３Ｂにはそれぞれ連結プレート２１が取り付けられており、該連結枠４の左右一対の連結部７にはそれぞれ連結具２４が取り付けられている。そして、該連結プレート２１と該連結具２４とを係合して、固定することにより、左右一対の側枠３Ａ，３Ｂと連結枠４とが連結される。
【００１３】
（連結プレート）
図３（ａ），（ｂ）に示すように、連結プレート２１は、四角板状に形成されており、上記左右一対の側枠３Ａ，３Ｂの垂直杆１２において中間部の内面上に取り付けられている。該連結プレート２１を、上記連結枠４の差し渡し方向である左右方向と交差する方向である前方へ伸びるように、該垂直杆１２よりも前方へ突出して配設することにより、該突出部分によって突片２２が構成されている。
上記突片２２の前端部には、軸体２３が、該突片２２と交差する方向である右方向へ伸びるように、上下一対突設されている。また上下一対の該軸体２３の表面には、それぞれネジ溝が螺刻されている（図示略）。
【００１４】
（連結具）
図４に示すように、連結具２４は、板状体を平面視でＪ字状に曲げて形成されており、上記連結枠４において、連結部７の前部で外側面に取り付けられている。該連結金具２４にあっては、Ｊ字状に曲げた内側部分によって凹溝２５が構成されている。
上記凹溝２５の外側となる側壁には、挿し孔２６が、上記突片２２に設けられた軸体２３と対応する位置になるように、上下一対透設されている。該挿し孔２６は、上記凹溝２５の開口端縁に開口２６ａが設けられるとともに、該開口２６ａから斜め上方へ伸びるように設けられている。
【００１５】
＜スペーサー＞
上記スペーサー９は、上記側枠３Ａ，３Ｂと上記連結枠４との間隔を広げるべく、該側枠３Ａ，３Ｂと連結枠４との間に介装されるものである（図１参照）。
図５に示すように、該スペーサー９は、上記側枠３Ａ，３Ｂに対して固定される第１固定部２８と、上記連結枠４に対して固定される第２固定部２９とを有している。該第１固定部２８には第１取付孔２８Ａが、上記側枠３Ａ，３Ｂの連結プレート２１に設けられた軸体２３と対応する位置になるように、上下一対透設されている。該第２固定部２９には第２取付孔２９Ａが、上記連結枠４の連結具２４に設けられた挿し孔２６と対応する位置になるように、上下一対透設されている。
そして、上記第１固定部２８と該第２固定部２９との間には、間隔調節手段３０が設けられている。
【００１６】
（間隔調節手段）
上記間隔調節手段３０は、上記側枠３Ａ，３Ｂと上記連結枠４との間隔を変更自在に調節するべく構成されたものである。該間隔調節手段３０は、上記第１固定部２８の前端から横方向（右方向）に差し出された調節座３１と、上記第２固定部２９の前端から横方向（右方向）に差し出された調節片３２と、を備えている。更に該間隔調節手段３０は、該調節座３１に該調節片３２を固定するための固定機構を備えている。
上記固定機構は、上記調節座３１に設けられた調節軸体３３と、上記調節片３２に設けられた挿通孔３４とを備えている。該調節軸体３３は、その表面に雄ネジが螺刻されている。該挿通孔３４は、上記連結枠の差し渡し方向（左右方向）に伸びる長孔状とされている。また該挿通孔３４の内側に該調節軸体３３を挿通した状態で、当該調節軸体３３には、ナット３５が螺着される。
上記固定機構にあっては、上記ナット３５を締め付けることにより、該調節座３１に対して該調節片３２を所定位置で固定することができ、上記ナット３５を緩めることにより、上記調節軸体３３が上記挿通孔３４の内側に挿通された状態で、上記調節座３１に対して上記調節片３２をスライド移動させることができる。つまり上記固定機構は、上記ナット３５を締め付けたり、緩めたりすることで、上記調節座３１に対する上記調節片３２の固定位置を変更自在とすることができるように構成されている。そして、上記間隔調節手段３０は、該固定機構による該調節座３１に対する該調節片３２の固定位置の変更を利用することで、上記側枠３Ａ，３Ｂと上記連結枠４との間隔を変更自在に調節することが出来るように構成されている。
なお、上記調節軸体３３及び上記挿通孔３４は、一対が上下に並ぶようにして設けられている。これは、上記調節座３１に対する上記調節片３２のスライド移動の支点を２点とすることで、該スライド移動時における上記調節片３２の左右方向の揺れや上下方向のがたつきを抑えるためである。
また上記形態では調節軸体３３にナット３５を螺着しているが、該ナット３５の他にも蝶ナット、袋ナット等のナット類であれば何れを用いてもよい。
【００１７】
＜組み立て方法＞
上記便器用手すり１を便器２に取り付けるべく組み立てる場合には、右側枠３Ａ及び左側枠３Ｂと、連結枠４と、を連結する。このとき、右側枠３Ａと連結枠４との間には、スペーサー９を介装する。
図６に示すように、右側枠３Ａにスペーサー９を取り付ける場合、第１固定部２８に設けられた第１取付孔２８Ａに、連結プレート２１に設けられた軸体２３を挿通し、該軸体２３にナット類（図示略）を嵌めて締め付ける。
図７に示すように、連結枠４にスペーサー９を取り付ける場合、連結具２４に設けられた挿し孔２６にネジ類３６を取り付けた状態とし、該ネジ類３６の軸を、第２固定部２９に設けられた第２取付孔２９Ａに挿通し、該ネジ類３６にナット類（図示略）を嵌めて締め付ける。
上記右側枠３Ａ又は上記連結枠４への上記スペーサー９の取り付けは、図６及び図７に示すように、上記調節座３１と上記調節片３２とを互いに外した状態で行ってもよく、あるいは上記調節座３１に上記調節片３２が固定された状態で行ってもよい。なお、上記調節座３１と上記調節片３２とを互いに外した状態で上記スペーサー９を上記右側枠３Ａ及び上記連結枠４に取り付けた場合は、調節座３１の調節軸体３３を調節片３２の挿通孔３４に挿通し、該調節軸体３３にナット３５を螺着することにより、該スペーサー９を介して上記右側枠３Ａと上記連結枠４とを連結する。
【００１８】
＜間隔調節方法＞
上記右側枠３Ａと上記連結枠４との間隔を調整する際には、上記スペーサー９において、上記ナット３５を緩め、上記調節座３１に対する上記調節片３２の固定を解除する。すると、該調節片３２は、挿通孔３４の内周縁を該調節座３１の調節軸体３３に摺動させることにより、該挿通孔３４の伸びる方向、つまりは左右方向へ該調節座３１に対してスライド移動出来るようになる。そして、該調節座３１に対して該調節片３２をスライド移動させ、上記右側枠３Ａと上記連結枠４との間隔が所望の長さになった位置で、上記ナット３５を締め付けることにより、該位置で上記調節座３１に対して上記調節片３２が固定され、間隔調節が完了する。
【００１９】
＜変更例＞
本発明は、上記の実施形態に限定されるものではなく、以下のように変更してもよい。
図８及び図９に示すように、第１固定部２８の上下両端から横方向へ伸びるように調節片３２を設け、第２固定部２９の上下両端から横方向へ伸びるように調節座３１を設けてもよい。また調節片３２には調節孔３７を、挿通孔３４に対して交差する方向に伸び、かつ該調節孔３７の内側が該挿通孔３４の内側に繋がるように設けてもよい。そして、図１０（ａ），（ｂ）に示すように、上記挿通孔３４に上記調節軸体３３が挿通された状態としたうえで、該調節軸体３３が該挿通孔３４の内側に位置する場合は上記調節座３１に対する上記調節片３２のスライド移動が許容され、該調節軸体３３が該挿通孔３４の内側から上記調節孔３７の内側へ移動された場合は上記調節座３１に対する上記調節片３２のスライド移動が規制される。このような構成とした場合、上記調節座３１に対する上記調節片３２のスライド移動を所望に応じて規制することにより、上記側枠３Ａと上記連結枠４との間隔を所定の長さに維持することで、間隔調節をさらに容易に行うことができる。
また図８及び図９に示すように、第１固定部２８に設けられる第１取付孔２８Ａと、第２固定部２９に設けられる第２取付孔２９Ａとの少なくとも何れか一方を、上記連結具２４に設けられた挿し孔２６と同様に、開口が設けられるとともに、該開口から斜め上方へ伸びる形状としてもよい。
上記長孔状の挿通孔３４に代えて円形状の挿通孔とし、かつ該挿通孔を複数個設け、調節軸体３３が挿通される該挿通孔を複数個のうちの何れかに変えることによって上記調節座３１に対する上記調節片３２の固定位置を変更自在に構成してもよい。
実施形態では、右側枠３Ａと連結枠４との間にのみスペーサー９を介装したが、左右一対の側枠３Ａ，３Ｂと連結枠４との間にそれぞれスペーサー９を介装してもよく、あるいは左側枠３Ｂと連結枠４との間にのみスペーサー９を介装してもよい。
【産業上の利用可能性】
【００２０】
本発明にあっては、側枠と連結枠との間隔を任意に変更可能であるから、産業上の利用可能性がある。
【符号の説明】
【００２１】
１    便器用手すり
２    便器
３Ａ，３Ｂ  側枠
４    連結枠
５    手すり部
９    スペーサー
２８    第１固定部
２９    第２固定部
３０    間隔調節手段
３１    調節座
３２    調節片
３３    調節軸体
３４    挿通孔
３７    調節孔
【図１】
2015083099.tif 000003
【図２】
2015083099.tif 000004
【図３】
2015083099.tif 000005
【図４】
2015083099.tif 000006
【図５】
2015083099.tif 000007
【図６】
2015083099.tif 000008
【図７】
2015083099.tif 000009
【図８】
2015083099.tif 000010
【図９】
2015083099.tif 000011
【図１０】
2015083099.tif 000012